【事件の表示】
　特願２００６−１３１６０４「排紙積載機構、自動原稿搬送装置、画像読取装置及び画像形成装置」拒絶査定不服審判事件〔平成１９年１１月２２日出願公開、特開２００７−３０２３８７〕について、次のとおり審決する。
【結　論】
　本件審判の請求は、成り立たない。
【理　由】
第１．手続の経緯  
　本件出願は、平成１８年５月１０日の特許出願であって、平成２２年１１月１０日付けで拒絶の理由が通知され、同２３年１月１３日に意見書とともに特許請求の範囲及び明細書について手続補正書が提出されたが、同２３年７月２０日付けで拒絶をすべき旨の査定がなされた。これに対し、平成２３年１０月２６日に本件審判の請求がなされたものである。  
　　  
第２．本願発明  
　本願の請求項１ないし４に係る発明は、平成２３年１月１３日提出の手続補正書によって補正された特許請求の範囲の請求項１ないし４に記載された事項により特定されるとおりのものと認めるところ、その請求項１の記載は以下のとおりである。  
　  
「【請求項１】
　複数種類のサイズに応じて排出された用紙を積載する排紙トレイと、前記排紙トレイの始端へ複数種類のサイズの用紙を搬送する搬送手段と、を備え、
　前記排紙トレイには、前記排紙トレイの始端から副走査方向の下流へ延びる溝状凹部を形成し、前記溝状凹部の幅は、前記溝状凹部の始端から終端へ向かって広がり、前記排紙トレイに主走査方向のサイズが最小である用紙を積載したとき、前記サイズが最小である用紙と前記溝状凹部が一部重なるようにし、
　前記溝状凹部は、前記排紙トレイの始端から副走査方向の下流でかつ主走査方向の手前側へ湾曲して延びるとともに主走査方向の手前側に開口部を有し、
　前記排紙トレイに副走査方向のサイズが所定サイズである用紙を積載したとき、前記所定サイズの用紙が前記溝状凹部を挟んで対向する第１の凸部と第２の凸部に跨るよう、前記溝状凹部の幅を設定したことを特徴とする排紙積載機構。」（以下請求項１に係る発明を「本願発明」という。）  
　  
第３．引用刊行物記載の発明  
　これに対して、原審の平成２２年１１月１０日付け拒絶の理由に引用された、本件出願前に頒布された刊行物である以下の文献には、以下の発明が記載されていると認められる。  
　 
　刊行物１：特開２００４−１０１８８号公報
　  
１．刊行物１に記載された事項  
　刊行物１には、「排出シート積載台」に関して、図面とともに、以下の事項が記載されている。  
　  
ア．特許請求の範囲の請求項１  
「【請求項１】
画像形成装置のシート排出手段から排出されるシートを積載すべく上記画像形成装置の上面に形成され、かつシートの搬送方向に延びて少なくともその搬送方向延長末端部が画像形成装置の側方外側に開放されている排出シート積載面を備えた排出シート積載台において、
上記排出シート積載面には、該排出シート積載面の搬送方向延長末端部から最大サイズシートの載置領域面の下部を通り、さらにこの最大サイズシートよりも小さい小サイズシートの載置領域面の下部にまでに延びる第１シート取出用凹部が、最大サイズシートから小サイズシートまでの載置領域面に収まるように形成され、
上記第１シート取出用凹部の幅が、搬送方向下流側に向かうに従い広くなるように形成されていることを特徴とする排出シート積載台。」
　  
イ．特許請求の範囲の請求項２  
「【請求項２】
画像形成装置のシート排出手段から排出されるシートを積載すべく上記画像形成装置の上面に形成され、かつシートの搬送方向に延びて少なくともその搬送方向延長末端部が画像形成装置の側方外側に開放されている排出シート積載面を備えた排出シート積載台において、
上記シートは、上記排出シート積載面への排出時において、シートにおける画像形成装置の後側の端部が該排出シート積載面に支持される一方、
上記排出シート積載面には、最大サイズシートの載置領域面における搬送方向下流側かつ画像形成装置の前側の隅部と、この最大サイズシートよりも小さい小サイズシートの載置領域面における搬送方向下流側かつ画像形成装置の前側の隅部とを結ぶラインを含む第２シート取出用凹部が、該排出シート積載面の搬送方向延長末端部から延びて形成され、
上記第２シート取出用凹部の幅が、搬送方向下流側に向かうに従い広くなるように形成されていることを特徴とする排出シート積載台。」 
　　 
ウ．段落【００９４】
「【００９４】
すなわち、本実施の形態の排出シート積載台１５は、図１に示すように、シートの搬送方向に延びる排出シート積載面１５ａと、該排出シート積載面１５ａよりも低い第１シート取出用凹部としてのシート取出用凹部１５ｂとを備えているが、図３に示すように、該排出シート積載面１５ａは排出ローラ対２６ａの直下では、自由落下した排出された該シートをある程度の排紙容量（４００枚〜５００枚）として確保するために、他の排出シート積載面１５ａよりも低くなっていて、排出ローラ対２６ａから遠い側に行くに伴って該排出シート積載面１５ａは徐々に高くなっている。
　
エ．段落【００９６】〜【００９９】 
【００９６】
ここで、図２にも示すシート取出用凹部１５ｂの深さは、該シート積載面１５ａに積載されたシートに指を入れて取り出し易いように、略指の厚みに対応する深さにしてあり、本実施の形態では、例えば、約１１ミリとしている。なお、シート取出用凹部１５ｂの深さは、これに限られず、シートの下側に指を容易に入れることができる深さであればよい。
【００９７】
また、図１に示すように、シート取出用凹部１５ｂの幅（Ｗ）は、搬送方向上流側においては、手のひらを閉じたときの親指以外の指４本分幅（Ｔ）よりも少し広い幅にしてあり、本実施の形態では、例えば約９０ミリとしている。なお、シート取出用凹部１５ｂの幅（Ｗ）は、これに限られず、シートの下側に指を容易に入れることができればよい。このため、デジタルカラープリンタ１００の外側からシートの排出シート積載台１５まで操作者の手を容易に差し入れることができる。
【００９８】
さらに、シート取出用凹部１５ｂは、シートが排出されるときに、排出方向に平行な排出される全てのサイズシートの両辺が排出シート積載面１５ａ上で凹部が無い状態で、かつ必ず支持されるように排出シート積載面１５ａに対して形成されている。したがって、排出シート積載面１５ａへのシートの載置状態が良くシートが揃い易い。
【００９９】
また、シート取出用凹部１５ｂの幅（Ｗ）は、搬送方向下流側に向かうに従い広くなるように形成されている。このため、小サイズシートから最大サイズシートまでのシートを取り出す作業が容易に行なうことができる。なお、上記シート取出用凹部１５ｂの幅（Ｗ）とは搬送方向と垂直な方向の幅を指す。」 
　 
オ．段落【０１０８】〜【０１０９】　  
「【０１０８】
また、本実施の形態の排出シート積載台１５は、図６に示すように、シート取出用凹部１５ｂのデジタルカラープリンタ１００の操作側に遠い方の縁１５ｄが、例えばハガキサイズ等の最小サイズシートの載置領域面における搬送方向下流側から、例えばＡ３ワイド紙等の最大サイズシートの載置領域面における搬送方向下流側に向かうに従いデジタルカラープリンタ１００の操作側に近づくように形成されている。
【０１０９】
なお、シート取出用凹部１５ｂのデジタルカラープリンタ１００の操作側に遠い方の縁１５ｄは、シート取出用凹部１５ｂの幅（Ｗ）が、最小サイズシートの載置領域面の下部から搬送方向下流側に向かうに従い広くなるような範囲内で、搬送方向上流側から搬送方向下流側に向かうに従い、デジタルカラープリンタ１００の操作側に近づくように形成されている。」
　
カ．段落【０１１３】〜【０１１４】　　  
「【０１１３】
なお、本実施の形態では、上記シート取出用凹部１５ｂは、最大サイズシートから最小サイズシートまでの載置領域面に収まるように形成されていた。しかしながら、必ずしもこれに限らず、例えば、図５に示すように、上記シートは、上記排出シート積載面１５ａへの排出時において、シートにおける画像形成装置の後側の端部が該排出シート積載面に支持される一方、排出シート積載面１５ａにおいて、第２シート取出用凹部としてのシート取出用凹部１５ｂが、最大サイズシートの載置領域面における搬送方向下流側かつ画像形成装置の前側の隅部（イ）と、この最大サイズシートよりも小さい例えば最小サイズシートの載置領域面における搬送方向下流側かつ画像形成装置の前側の隅部（ア）とを結ぶラインＬ１を含み、該排出シート積載面の搬送方向延長末端部から延びて形成されているものであってもよい。
【０１１４】
これによっても、排出されるシートの排出方向の少なくとも一辺は排出シート積載面１５ａに支持されているので同様の効果を得ることができる。」
 
キ．図面の図６を参照すると、シート取出用凹部１５ｂは、排出方向下流側に向うに従い、図６の右側、すなわちデジタルカラープリンタ１００の操作側に近づくように形成されていることが看て取れる。
　
２．刊行物１記載の発明及び事項  
（１）刊行物１発明
　上記摘記事項及び上記認定事項並びに図面のうち、摘記事項ア．、ウ．ないしオ．及び認定事項キ．並びに図１、図２及び図６を参照する。
　摘記事項エ．に、「小サイズシートから最大サイズシートまでのシートを取り出す作業」とあることなどから、摘記事項ウ．の「排出シート積載面１５ａ」は、「複数種類のサイズに応じて排出されたシートを積載する排出シート積載面１５ａ」ということができる。
　また、摘記事項オ．と認定事項キ．を併せ勘案すれば、「シート取出用凹部１５ｂ」は、排出方向下流側に向うに従い、デジタルカラープリンタ１００の操作側に近づくように形成されている、といえる。
　さらに、摘記事項ア．に「シート取出用凹部」は「搬送方向延長末端部」から伸びると記載されており、図１を併せ参酌すると、「シート取出用凹部」は「搬送方向延長末端部」に開口部を有する、ということができる。
　
　そこで、刊行物１に記載された摘記事項ア．、ウ．ないしオ、及び認定事項キ．並びに図１、図２及び図６を、技術常識を踏まえて本願発明に照らして整理すると、刊行物１には以下の発明が記載されていると認められる。  
「複数種類のサイズに応じて排出されたシートを積載する排出シート積載面１５ａと、前記排出シート積載面１５ａの搬送方向下流側へ複数種類のサイズのシートを搬送する搬送手段と、を備え、
　前記排出シート積載面１５ａには、前記排出シート積載面１５ａの最小サイズシートの載置領域面の下部から搬送方向下流側へ延びるシート取出用凹部１５ｂを形成し、前記シート取出用凹部１５ｂの幅は、前記シート取出用凹部１５ｂの始端から終端へ向かって広がり、
　前記シート取出用凹部１５ｂは、排出方向下流側に向うに従い、デジタルカラープリンタ１００の操作側に近づくように形成されるとともに搬送方向延長末端部に開口部を有し、
　前記排出シート積載面１５ａにシートを積載したとき、全てのサイズのシートの両辺が排出シート積載面１５ａ上で凹部が無い状態で支持されるよう、前記シート取出用凹部１５ｂの幅を設定した排出シート積載台。」（以下「刊行物１発明」という。）   
　
（２）刊行物１事項
　次に、上記摘記事項及び上記認定事項並びに図面のうち、摘記事項イ．ないしエ．及びカ．並びに図１、図２及び図５を参照する。
　上記摘記事項カ．に、「必ずしもこれに限らず・・・図５に示すように、上記シートは、上記排出シート積載面１５ａへの排出時において、シートにおける画像形成装置の後側の端部が該排出シート積載面に支持される一方、・・・排出されるシートの排出方向の少なくとも一辺は排出シート積載面１５ａに支持されているので」とあり、かつ、図５に示された各サイズのシートとシート取出用凹部１５ｂの右側の縁との関係（特に、ハガキとＡ４サイズのシートの右側の積載境界線の上の部分が凹部１５ｂの縁の内側にある点）などから、「シート取出用凹部１５ｂ」は、シートを積載したとき、シートの一辺がシート取出用凹部１５ｂの縁と一部のみ重なるように幅を設定されている、ということができる。
　そして、刊行物１に記載された摘記事項イ．ないしエ．及びカ．並びに図１、図２及び図５を、技術常識を踏まえて整理すると、刊行物１には以下の事項が記載されていると認められる。
「複数種類のサイズに応じて排出されたシートを積載する排出シート積載面１５ａと、前記排出シート積載面１５ａの搬送方向下流側へ複数種類のサイズのシートを搬送する搬送手段と、を備え、
　前記排出シート積載面１５ａには、前記排出シート積載面１５ａの最小サイズシートの載置領域面の下部から搬送方向下流側へ延びるシート取出用凹部１５ｂを形成し、前記シート取出用凹部１５ｂの幅は、前記シート取出用凹部１５ｂの始端から終端へ向かって広がり、
　前記排出シート積載面１５ａにシートを積載したとき、シートの一辺がシート取出用凹部１５ｂの縁と一部のみ重なるように、前記シート取出用凹部１５ｂの幅を設定した排出シート積載台。」（以下「刊行物１事項」という。）
　
第４．対比  
　本願発明と刊行物１発明とを対比すると以下のとおりである。  
　まず、刊行物１発明の「シート」が本願発明の「用紙」に相当することは、技術常識に照らして明らかであり、同様に、「排出シート積載面１５ａ」は「排紙トレイ」に、「下流側」は「下流」に、「シート取出用凹部１５ｂ」は「溝状凹部」に、「排出シート積載台」は「排紙積載機構」に相当することも明らかである。  
　次に、刊行物１発明が「排出シート積載面１５ａの搬送方向下流側へ」「搬送する」ことは、用紙（シート）をデジタルカラープリンタ１００の内部から、排紙トレイ（排出シート積載面１５ａ）の始端を経由して、排紙トレイの搬送方向下流側へ搬送するものであるから、これは、本願発明の「排紙トレイの始端へ」「搬送する」ことに相当する、といえる。　
　そして、本願明細書の段落【００７４】に「副走査方向（搬送方向）」と記載されていることからも理解されるように、刊行物１発明の「搬送方向」は本願発明の「副走査方向」に相当する。
　
　また、刊行物１発明の「排出シート積載面１５ａには、前記排出シート積載面１５ａの最小サイズシートの載置領域面の下部から搬送方向下流側へ延びるシート取出用凹部１５ｂを形成」することは、これを上記対応関係で書き改めると、「排紙トレイには前記排紙トレイの最小サイズシートの載置領域面の下部から副走査方向下流側へ延びる溝状凹部を形成する」というものであるところ、当該事項は、本願発明の「排紙トレイには、前記排紙トレイの始端から副走査方向の下流へ延びる溝状凹部を形成」するなる事項と、「排紙トレイには、副走査方向の下流へ延びる溝状凹部を形成」するものである限りにおいて共通する。
　
　また、刊行物１発明の「シート取出用凹部１５ｂは、排出方向下流側に向うに従い、デジタルカラープリンタ１００の操作側に近づくように形成されるとともに搬送方向延長末端部に開口部を有」することは、これを上記対応関係で書き改めると、「溝状凹部は、副走査方向下流側に向うに従い、デジタルカラープリンタ１００の操作側に近づくように形成されるとともに搬送方向延長末端部に開口部を有する」というものであるところ、「デジタルカラープリンタ１００の操作側に近づく」ことは、本願発明の方向の定義で表現すれば、主走査方向の手前側へ近づくことに対応する（本願明細書段落【００７６】等参照）。したがって、刊行物１発明の当該事項は、本願発明の「溝状凹部は、前記排紙トレイの始端から副走査方向の下流でかつ主走査方向の手前側へ湾曲して延びるとともに主走査方向の手前側に開口部を有し」なる事項と、「溝状凹部は、副走査方向の下流でかつ主走査方向の手前側へ延びるとともに開口部を有す」るものである限りにおいて共通する。
　
　さらに、刊行物１発明の「排出シート積載面１５ａにシートを積載したとき、全てのサイズのシートの両辺が排出シート積載面１５ａ上で凹部が無い状態で支持されるよう、前記シート取出用凹部１５ｂの幅を設定した」ことは、これを上記対応関係で書き改めると、「排紙トレイに用紙を積載したとき、全てのサイズの用紙の両辺が排紙トレイ上で凹部が無い状態で支持されるよう、前記溝状凹部の幅を設定した」というものであるところ、当該事項は、本願発明の「排紙トレイに副走査方向のサイズが所定サイズである用紙を積載したとき、前記所定サイズの用紙が前記溝状凹部を挟んで対向する第１の凸部と第２の凸部に跨るよう、前記溝状凹部の幅を設定したこと」なる事項と、「排紙トレイに積載した少なくとも一部のサイズの用紙が前記溝状凹部を挟んで対向する第１の凸部と第２の凸部に跨るよう溝状凹部の幅を設定した」ものである限りにおいて共通する。
  
　したがって、本願発明と刊行物１発明とは、以下の点で一致しているということができる。  
＜一致点＞  
「複数種類のサイズに応じて排出された用紙を積載する排紙トレイと、前記排紙トレイの始端へ複数種類のサイズの用紙を搬送する搬送手段と、を備え、
　前記排紙トレイには、副走査方向の下流へ延びる溝状凹部を形成し、前記溝状凹部の幅は、前記溝状凹部の始端から終端へ向かって広がり、
　前記溝状凹部は、副走査方向の下流でかつ主走査方向の手前側へ延びるとともに開口部を有し、
　前記排紙トレイに積載した少なくとも一部のサイズの用紙が前記溝状凹部を挟んで対向する第１の凸部と第２の凸部に跨るよう溝状凹部の幅を設定した排紙積載機構。」  
　  
　そして、本願発明と刊行物１発明とは、以下の３点で相違している。  
１．＜相違点１＞  
　本願発明の溝状凹部は、排紙トレイの始端から副走査方向の下流へ延びるものであるの対し、刊行物１発明の溝状凹部は、排紙トレイ（排出シート積載面１５ａ）の最小サイズシートの載置領域面の下部から副走査方向の下流へ延びるものである点。
２．＜相違点２＞  
　本願発明の溝状凹部は、湾曲して延びるとともに主走査方向の手前側に開口部を有するのに対し、刊行物１発明の溝状凹部は、湾曲するものではなく、また副走査方向（搬送方向）延長末端部に開口部を有するものである点。
３．＜相違点３＞  
　本願発明は、
　溝状凹部の幅は排紙トレイに主走査方向のサイズが最小である用紙を積載したとき、前記サイズが最小である用紙と前記溝状凹部が一部重なるようにし、
　また、排紙トレイに副走査方向のサイズが所定サイズである用紙を積載したとき、前記所定サイズの用紙が前記溝状凹部を挟んで対向する第１の凸部と第２の凸部に跨るよう前記溝状凹部の幅を設定した、のに対し、
　刊行物１発明は、
　排紙トレイに積載した全てのサイズの用紙が、溝状凹部を挟んで対向する第１の凸部と第２の凸部に跨るよう前記溝状凹部の幅を設定した点。 
　  
第５．相違点の検討  
１．＜相違点１＞について  
　刊行物１発明の溝状凹部は用紙の下側に指を入れるためのものであるところ、かかる溝状凹部の上流端を、最小サイズシートの下部領域を包含する排紙トレイ（排出シート積載面１５ａ）の始端とすることは、格別な創意を要するものではなく、また、それによって格別な効果をもたらすものではないから、当業者が適宜なし得ることである。　　 
　　  
２．＜相違点２＞について  
　刊行物１発明の溝状凹部は、上記したように用紙の下側に指を入れるためのものであるから、操作者がアクセスしやすい場所に開口していれば、必ずしも搬送方向延長末端部（本願発明の用語でいえば副走査方向の下流側末端部）に開口している必要はない。
　一方、刊行物１発明のような排出シート積載台において、操作者が用紙の下に指を入れるための凹部の開口部を主走査方向の手前側に設けることは、原審の拒絶理由にて示した特開２００５−１５２３３号公報（段落【００３６】、図４等参照。）に示すように従来周知の技術である。
　そうしてみると、刊行物１発明に上記従来周知の技術を適用し、溝状凹部の開口部を他のアクセスしやすい場所である主走査方向の手前側とし、これに伴い溝状凹部を湾曲形状として、相違点２に係る発明特定事項を本願発明のものとすることは、当業者が容易に想到し得るところというべきである。
　
３．＜相違点３＞について
　相違点３に係る本願発明の発明特定事項は、「溝状凹部の幅は排紙トレイに主走査方向のサイズが最小である用紙を積載したとき、前記サイズが最小である用紙と前記溝状凹部が一部重なる」というものである。他方、刊行物１発明は、（最小サイズのものを含め）全てのサイズの用紙が、溝状凹部を挟んで対向する第１の凸部と第２の凸部に跨るようにするものであるところ、サイズが最小である用紙を積載したときも、溝状凹部を跨る以上、用紙と「溝状凹部が一部重なる」ともいえる。したがって、相違点３は実質的な差異ではない、ということもできる。
　
　しかしながら、本願明細書の「【０１１４】この構成によれば、図１２に示すように、小サイズ原稿としてのＢ６横の原稿Ｐ２が積載されている場合、原稿Ｐ２が第２の凸部２０９から、はみ出ているため、原稿Ｐ２を排紙トレイ４３から取り出す際、原稿テーブル２４を持ち上げることなく、第１の凹部２１０に手を挿入して小サイズ原稿を取り出すことが可能となり、ユーザの操作性（小サイズ原稿の取り出し性）が向上する。・・・」（段落【０１１４】）なる記載、また図１２の記載を合理的に解釈すれば、  本願発明の「サイズが最小である用紙と前記溝状凹部が一部重なる」なる発明特定事項は、サイズが最小である用紙の一辺が溝状凹部の縁と重ならず片持ち状態で支持される、と解釈される余地もあるため、そのように善解して以下検討する。
　
　上記第３．２．（２）にて指摘したように、刊行物１事項は、
「複数種類のサイズに応じて排出されたシートを積載する排出シート積載面１５ａと、前記排出シート積載面１５ａの搬送方向下流側へ複数種類のサイズのシートを搬送する搬送手段と、を備え、
　前記排出シート積載面１５ａには、前記排出シート積載面１５ａの最小サイズシートの載置領域面の下部から搬送方向下流側へ延びるシート取出用凹部１５ｂを形成し、前記シート取出用凹部１５ｂの幅は、前記シート取出用凹部１５ｂの始端から終端へ向かって広がり、
　前記排出シート積載面１５ａにシートを積載したとき、シートの一辺がシート取出用凹部１５ｂの縁と一部のみ重なるように、前記シート取出用凹部１５ｂの幅を設定した排出シート積載台。」というものであるところ、これを本願発明の用語に倣って表現すれば、上記第４．にて示した対応関係から、
　「複数種類のサイズに応じて排出された用紙を積載する排紙トレイと、前記排紙トレイの始端へ複数種類のサイズの用紙を搬送する搬送手段と、を備え、
　前記排紙トレイには、前記排紙トレイの最小サイズシートの載置領域面の下部から搬送方向下流側へ延びる溝状凹部を形成し、前記溝状凹部の幅は、前記溝状凹部の始端から終端へ向かって広がり、
　前記排紙トレイに用紙を積載したとき、用紙の一辺が溝状凹部の縁と一部のみ重なるように、前記溝状凹部の幅を設定した排出シート積載台」と言い換えることができる。
　
　次に、一般に凹部の幅の設定のような形状設計において、（サイズの異なる用紙のように）異なる対象物に一律に対応するのではなく、異なる対象物に応じて異なる対応をすることは、ごく一般に行われることであり、また、刊行物１発明と刊行物１事項はともに同一刊行物に記載されているものであって、これらを組み合わせで用いることを妨げる事情もないことから、サイズの異なる用紙に対して、刊行物１発明の溝状凹部の幅と刊行物１事項の溝状凹部の幅を適宜組み合わせることも、当業者が容易に試み得ることといえる。
　
　そして、刊行物１発明の溝状凹部の幅と刊行物１事項の溝状凹部の幅を適宜組み合わせるにあたり、刊行物１に「排出されるシートの排出方向の少なくとも一辺は排出シート積載面１５ａに支持されているので」と記載されていることから（上記第３．１．カ）、刊行物１事項の、用紙の一辺が溝状凹部の縁と一部のみ重なるようにすることを、さらに進めて、用紙の一辺が溝状凹部の縁と重ならず片持ち状態で支持するようにした上で、刊行物１発明と組み合わせることも、格別困難ではない。
　
　また、刊行物１発明は、第１の凸部と第２の凸部に跨るよう溝状凹部の幅を設定することにより、用紙（シート）の設置状態が良く用紙が揃い易くなるものであるところ（第３．１．摘記事項エ．）、用紙の厚さは一定であることが多いから、サイズの大きい用紙ほど、比例して増加する自重による撓みを防止するため用紙の両端を保持する必要性は高いと考えられる（逆に、最小サイズの用紙は大きさが小さいため自重が少なく、しかも刊行物１の図５及び図６に示されるように厚手のハガキ、すなわち、サイズの大きい用紙よりも撓みにくいものであることが多い）。また、刊行物１発明の溝状凹部は、始端から終端へ向かって広がるものであるとはいえ、サイズの小さな用紙の両端を保持するためには、溝状凹部の幅を相応に狭くする必要があるから、操作者の指の入れやすさとの兼ね合いの問題が生じることは容易に想起し得る。
　
　以上を総合すると、刊行物１発明において、特定のサイズの用紙に対して刊行物１事項を適用して、用紙の一辺が溝状凹部の縁と重ならず片持ち状態で支持するようにし、さらに、特定のサイズの用紙として、両端で支持する必要性が比較的低く、また操作上の制約が大きい最小サイズの用紙を選択して、（上記のように善解した）相違点３に係る発明特定事項を本願発明のものとすることは、当業者が容易に想到し得るところというのが相当である。　
４．本願発明の効果について  
　本願発明によってもたらされる効果も、刊行物１発明、刊行物１事項及び従来周知の事項から当業者であれば予測できる程度のものであって格別のものではない。  
　  
５．したがって、本願発明は、刊行物１発明、刊行物１事項及び従来周知の事項に基づいて当業者が容易に発明をすることができたものである。　  
　
第６．むすび  
　以上のとおり、本願発明は、刊行物１発明、刊行物１事項及び従来周知の事項に基づいて、当業者が容易に発明をすることができたものであるから、特許法第２９条第２項の規定により特許を受けることがないものである。  
　したがって本願はその余の請求項２ないし４に係る発明について検討するまでもなく、拒絶されるべきものである。  
　よって、結論のとおり審決する。